(57)【要約】      （修正有）【課題】貯留したペット用の飲料水をペルチェ素子で冷却し、外気温が高いときでも常に冷水をペットに与えることを可能にするペットの冷水供給装置を提供する。【解決手段】ペットの冷水供給装置６をペットケージ７に固定するための固定部８と、貯留タンク部９と、給水管部１０と、貯留タンク部９を冷却するための冷却部１１とで構成する。また、冷却部１１はペルチェ素子１２と、ヒートシンク１３と、冷却ファン１４と、温度センサー１５とペルチェ素子駆動回路１６ａとからなる制御・駆動回路１６と、これらを収容するケース１１ａとで構成する。【選択図】図１
0003172425.tif 000002
【実用新案登録請求の範囲】
【請求項１】
貯留タンクと、該貯留タンクの最下部にその一端が連通する給水管と、該給水管の他端に設置したボール弁と、ペットケージに固定するための固定部とからなるペット用給水装置に於いて、貯留タンクの外側底面にペルチェ素子の吸熱面を密接固定し、該ペルチェ素子の発熱面にヒートシンクの吸熱面を密接固定しかつ該ヒートシンクの放熱側の近傍に冷却ファンを備えると共に、貯留タンクに貯留した水の温度を測定する温度センサーを有し、該温度センサーの出力信号により前記ペルチェ素子の駆動電流を制御するペルチェ素子駆動回路と、前記ヒートシンクを冷却する冷却ファンとを有することを特徴とするペットの冷水供給装置。
【請求項２】
前記固定具に結束バンドを使用したことを特徴とする請求項１に記載のペットの冷水供給装置。
【考案の詳細な説明】
【技術分野】
【０００１】
本考案は、貯留したペット用の飲料水をペルチェ素子で冷却し、外気温が高いときでも常に冷水をペットに与えることを可能にするペットの冷水供給装置に関する。
【背景技術】
【０００２】
従来、この種、ペット用給水装置の例としては図３に示す技術がある。これについて説明すれば、ペット用給水装置１は合成樹脂成形品からなりペットケージ２等に取付けられる固定具３と、この固定具３をペットケージ２等に固定するための固定ねじ部４と、合成樹脂成形品からなり固定具３に着脱自在に装着される給水具５とから構成されている。
給水具５は、支持部５ａと、給水容器５ｂと、拡径部５ｃと、給水管５ｄと、ステンレス管５ｅとで成る。において、そして支持部５ａは例えばペットボトルの如き給水容器５ｂが着脱自在に装着される有底円筒状の支持部で、上部に設けた拡径部５ｃの内壁にはペットボトル５ｂの給水口に設けた雄ねじ部が螺入される雌ねじ部（図示せず）が設けられている。また、支持部５ａの下部の固定具３側には、支持部５ａ内に連通する給水管５ｄが斜め下方に向って延設されており、その先端部には、先端部に小孔を有するステンレス管５ｅがねじ結合され、ステンレス管５ｅの先端部内にはゴムパッキン（図示せず）を介して一部が小孔から露出するボール弁（図示せず）が配設されている。
【先行技術文献】
【特許文献】
【０００３】
【特許文献１】特開２００４−２１５６１３号公開特許公報
【考案の開示】
【考案が解決しようとする課題】
【０００４】
従来の技術は叙上の構成であるので次の課題が存在した。
すなわち、夏期に於いてペットケージ２の周辺温度が高温になると、ペット用給水装置１に貯留した飲料水も温まるので、ペットケージ２内に飼われているペットの飲水意欲が低下すると共に高温水を飲水したのではペットの体温が低下せず脱水症状など健康を害する原因となること、また、ペットは給水管５ｄの先端部に直接口唇を接触させて飲水行為を行うので、ペット用給水装置１に貯留した飲料水がペットが持つ常在菌その他の細菌等により汚染され細菌が繁殖しやすく、殊に高温時にはペットの健康管理を考慮して頻繁にペット用給水装置１に貯留した飲料水を交換する必要があり作業が煩雑であるという問題点があった。また、給水容器５ｂに砕いた氷塊を入れて冷水としても時間経過と共に給水容器５ｂに貯留した飲料水は温まるので、継続的に冷水を供給することができないという問題点があった。
【課題を解決するための手段】
【０００５】
本考案はかかる問題点を解決するためになされたものであって、次の構成から成立する。
すなわち請求項１記載の考案によれば、貯留タンクと、該貯留タンクの最下部にその一端が連通する給水管と、該給水管の他端に設置したボール弁と、ペットケージに固定するための固定部とからなるペット用給水装置に於いて、貯留タンクの外側底面にペルチェ素子の吸熱面を密接固定し、該ペルチェ素子の発熱面にヒートシンクの吸熱面を密接固定しかつ該ヒートシンクの放熱側の近傍に冷却ファンを備えると共に、貯留タンクに貯留した水の温度を測定する温度センサーを有し、該温度センサーの出力信号により前記ペルチェ素子の駆動電流を制御するペルチェ素子駆動回路と、前記ヒートシンクを冷却する冷却ファンとを有することを特徴とする。
【０００６】
請求項２記載の考案によれば、請求項１に記載のペットの冷水供給装置に於いて、前記固定具に結束バンドを使用したことを特徴とする。
【考案の効果】
【０００７】
本考案に係るペットの冷水供給装置は叙上の構成を有するので、次の効果がある。
すなわち、請求項１に記載の考案によれば、貯留タンクと、該貯留タンクの最下部にその一端が連通する給水管と、該給水管の他端に設置したボール弁と、ペットケージに固定するための固定部とからなるペット用給水装置に於いて、貯留タンクの外側底面にペルチェ素子の吸熱面を密接固定し、該ペルチェ素子の発熱面にヒートシンクの吸熱面を密接固定しかつ該ヒートシンクの放熱側の近傍に冷却ファンを備えると共に、貯留タンクに貯留した水の温度を測定する温度センサーを有し、該温度センサーの出力信号により前記ペルチェ素子の駆動電流を制御するペルチェ素子駆動回路と、前記ヒートシンクを冷却する冷却ファンとを有することを特徴とするペットの冷水供給装置を提供する。
このような構成としたので、ペットケージで飼育されるペットが任意に冷水を飲水できるので飲水意欲が低下せず脱水症状などを起こさず健康維持ができ、ペットの冷水供給装置に貯留した水が冷却されているので水質が悪化しないのでペットの冷水供給装置に貯留した水を頻繁に交換する必要がなく、常にペルチェ素子が冷却動作を行なうので継続的に冷水を供給することができるという効果がある。
【０００８】
請求項２に記載の考案によれば、前記固定具に結束バンドを使用したことを特徴とする請求項１に記載のペットの冷水供給装置を提供する。
このような構成としたので、請求項１に記載の効果に加えて給水管と固定部の距離を任意に調整できるので、ペットケージの多様の網目寸法すなわち多様のメッシュ間隔に対応できるので種々のペットケージに使用することができるという効果がある。
【図面の簡単な説明】
【０００９】
【図１】本考案に於けるペットの冷水供給装置であって、実施の形態を示す構成図である。
【図２】本考案に於けるペットの冷水供給装置であって、固定部に結束バンドを使用した実施例の要部を示す構成図である。
【図３】従来の技術を示す構成図である。
【考案を実施するための形態】
【００１０】
以下、本考案に係るペットの冷水供給装置に於ける実施の形態について図１に基づき詳細に説明する。
【００１１】
図１の示すものは本考案に係るペットの冷水供給装置６の一例であって、大概してペットケージ７に当該ペットの冷水供給装置６を固定するための固定部８と、貯留タンク部９と、給水管部１０と、貯留タンク部９を冷却するための冷却部１１とでなる。貯留タンク部９の貯留タンク９ａは有底筒状体の容器であって、金属製等、熱伝導性の良好な材料で製作する。貯留タンク９ａの天面は冷却されていない水９ｂを貯留タンク９ａに流入するために開放されているが、水９ｂを入れた後の通常の使用状態に於いては塵埃や昆虫などの混入を防止するために密閉蓋９ｃで貯留タンク９ａの天面を密封する。
【００１２】
貯留タンク９ａの一部例えば底面の外側は後述するペルチェ素子１２の吸熱側１２ａを密着させるために平滑に仕上げてある。貯留タンク９ａの縦側面の最下部に給水管１０ａが水平方向に延伸して取付けてあり、給水管１０ａはその中間位置において傾斜角αをもって下方に傾斜延伸している。角度αは３０ないし６０度程度である。傾斜延伸した給水管１０ａの先端部には、直径を減少させた一端すなわち開放端を有するスリーブ１０ｂを覆設・嵌合する。該スリーブ１０ｂの内側にボール弁１０ｃを挿置し該ボール弁１０ｃは直径を減少させた該スリーブ１０ｂの開放端１０ｄに密着、係止して給水管１０ａ内の水９ａがスリーブ１０ｂの開放端１０ｄから漏出することを防止する。
【００１３】
固定部８は固定部本体８ａとクランプ８ｂで構成し、固定部本体８ａとクランプ８ｂはそれぞれ図示しない雄ネジ部及び雌ねじ部を有し、固定部本体８ａとクランプ８ｂとの間にペットケージ７を挟み込んで螺合してペットの冷水供給装置６をペットケージ７に固定する。
【００１４】
冷却部１１はペルチェ素子１２と、ヒートシンク１３と、冷却ファン１４と、温度センサー１５とペルチェ素子駆動回路１６ａとからなる制御・駆動回路１６と、これらを収容するケース１１ａとで構成する。尚、必要に応じて冷却ファン駆動回路を設けてもよい。１２はペルチェ素子であって、該ペルチェ素子１２に直流電流を流すことにより吸熱側１２ａは冷却し発熱側１２ｂは加熱する。
【００１５】
本考案に係るペットの冷水供給装置６は貯留タンク９ａの一部例えば底面の外側にペルチェ素子１２の吸熱側１２ａを密着させて、貯留タンク９ａ内に貯留した水９ｂを継続的に冷却する。ペルチェ素子１２に印加・流入する電流を増大させると吸熱側１２ａはより冷却されて、貯留した水９ｂをより冷却することができる。しかし電流の印加・流入の増大に伴ってペルチェ素子１２の内部抵抗による発熱及び発熱側１２ｂからの伝熱も増大するので、印加・流入電流を増大させても吸熱側１２ａの冷却温度は一定以下に下降しない。
【００１６】
そこで、冷却効果を得るために発熱側１２ｂにヒートシンク１３を密着・固定して放熱を促すと共に冷却ファン１４によってヒートシンク１３を強制空冷する。ここで水９ｂは例えば５℃ないし１０℃に冷却させる。ヒートシンク１３はアルミ押出し加工による汎用品、冷却ファン１４はＤＣモータファンが好適である。
１５は温度センサーであって、貯留した水９ｂの温度を測定して、ペルチェ素子１２によって冷却が必要か不要かの情報を得る。
【００１７】
制御・駆動回路１６はペルチェ素子駆動回路１６ａを有してなり、制御・駆動回路１６は前記温度センサー１５の信号によりペルチェ素子１２の電流制御を行う。また冷却ファン１４の回転数制御を行うこともできる。１１ｂは回転手段により冷却ファン１４が回転したとき、外気をケース１１ａに取込むためのケース１１ａの円筒状の外周面に穿設した複数個の吸気孔であり、１１ｃはヒートシンク１３で加温された外気を排出するためにケース１１ａ底面に放射状もしくは同心円状に穿設した複数個の排気孔である。
尚、１７は前記制御・駆動回路１６を動作させるためのＡＣアダプタ、１７ａはＡＣプラグである。また、貯留タンク９ａの外側縦側面に断熱材を巻回してもよい。
【００１８】
次に、本考案に係るペットの冷水供給装置の実施の形態について、作用・動作等を説明する。
まず、固定部本体８ａとクランプ８ｂの間にペットケージ７の縦部材を挟みクランプ８ｂを固定部本体８ａに緊締してペットの冷水供給装置６をペットケージ７に固定する。次に貯留タンク部９の密閉蓋９ｃを外し貯留タンク９ａに水９ｂを注入する。そしてＡＣプラグ１７ａを家庭用１００Ｖ電源に接続してペットの冷水供給装置６を動作させ、貯留タンク９ａ内の水９ｂを冷却する。
【００１９】
ペットケージ７に飼育されているペット１８例えば兎、猫、ハムスター等がその口先１８ａでボール弁１０ｃを押圧すると、スリーブ１０ｂの開放端１０ｄとボール弁１０ｃ間に隙間が生じて、給水管１０ａ内の冷却された水９ａが漏出してペット１８は飲水することができる。飲水を終えたペット１８が口先１８ａをボール弁１０ｃから離すとボール弁１０ｃは給水管１０ａ内の水９ａの水圧により再度直径を減少させた開放端１０ｄに密着して水９ａの漏出が停止する。
【実施例】
【００２０】
図２は本考案に係るペットの冷水供給装置６Ａとして実施例を示すものであり、これについて説明する。本考案は図１に示すペットの冷水供給装置６の固定部８に代えて、固定部８Ａでペットの冷水供給装置６Ａをペットケージ７に固定するものである。具体的には、予め固定部本体８ａとクランプ８ｂで固定部８Ａをペットケージ７に固定する。次にペットの冷水供給装置６Ａの給水管部１０を適宜の位置に於いてペットケージ７に差込み、固定部８Ａと貯留タンク９ａを結束バンド８ｃを用いて緊締する。ほかの構成、作用は図１に示すものと同一であり、その詳しい説明を省略する。
【産業上の利用可能性】
【００２１】
本考案にペットの冷水供給装置はハムスターやモルモットのような小動物から犬、猫、兎などのペットまで各種のペットケージに利用可能である。
【符号の説明】
【００２２】
６        ペットの冷水供給装置
６Ａ      ペットの冷水供給装置
７        ペットケージ
８        固定部
８Ａ      固定部
８ａ      固定部本体
８ｂ      クランプ
８ｃ      結束バンド
９        貯留タンク部
９ａ      貯留タンク
９ｂ      水  
９ｃ      密閉蓋
１０      給水管部
１０ａ    給水管
１０ｂ    スリーブ
１０ｃ    ボール弁
１０ｄ    開放端
１１      冷却部
１１ａ    ケース
１１ｂ    吸気孔
１１ｃ    排気孔
１２      ペルチェ素子
１２ａ    吸熱側
１２ｂ    発熱側
１３      ヒートシンク
１４      冷却ファン
１５      温度センサー
１６      制御・駆動回路
１６ａ    ペルチェ素子駆動回路
１７      ＡＣアダプタ
１７ａ    ＡＣプラグ
１８      ペット
１８ａ    口先
【図１】
0003172425.tif 000003
【図２】
0003172425.tif 000004
【図３】
0003172425.tif 000005